(57)【要約】【課題】内部のクッション体を取り出して単独でソファクッション等として使用でき、また、好みの位置の硬さを変えることが可能な抱き枕を提供する。【解決手段】表面の硬度が異なる複数のクッション体４１，５１，６１と、クッション体の出し入れ口２２を備え複数のクッション体４１，５１，６１を並べて収納可能とされた袋状のカバー体２１とで抱き枕１０を構成し、クッション体４１，５１，６１の配列を変えることにより、好みの位置の硬さを変えることができ、また、クッション体の出し入れ口２２からクッション体４１，５１，６１を取り出すことにより、クッション体４１，５１，６１を単独で使用できるようにした。【選択図】図６
2008073281.tif 000002
【特許請求の範囲】
【請求項１】
複数のクッション体と、
クッション体の出し入れ口を備え前記複数のクッション体を並べて収納可能とされた袋状のカバー体とよりなることを特徴とする抱き枕。
【請求項２】
少なくとも一つのクッション体の表面硬度が他のクッション体の表面硬度とは異なることを特徴とする請求項１に記載の抱き枕。
【請求項３】
前記複数のクッション体は発泡体を表皮材で覆ったものからなり、前記複数のクッション体のうち少なくとも一つのクッション体における発泡体が、相対的に硬度の高い発泡体からなる中心層とその両側に積層された相対的に硬度の低い発泡体からなる表層とで構成されていることを特徴とする請求項１または２に記載の抱き枕。
【請求項４】
前記カバー体の内面側にクッション層を有し、前記カバー体内に収納された複数のクッション体を前記クッション層で挟持することを特徴とする請求項１から３の何れか一項に記載の抱き枕。
【発明の詳細な説明】
【技術分野】
【０００１】
この発明は、抱き枕に関する。
【背景技術】
【０００２】
従来、就寝等の際に、両手で抱くと共に股に挟んで横たわることが可能な抱き枕として、袋状のカバー体内に種々の詰め物を収納したものが知られている。詰め物としては、合成樹脂ビーズ、綿、そば殻、発泡体等が用いられている。
【０００３】
しかし、従来の抱き枕は、全体が単一の硬度からなるため、触感に変化が乏しかった。しかも、使用する人によっては、両手で抱きつく部分については柔らかく、一方、股で挟む部分については硬いのが好きであったり、あるいはその逆が好きであったりなどするため、満足のできる抱き枕が存在しなかった。また、抱き枕は比較的大きなものであり、他の用途のクッションとして使用するのも難しかった。
【０００４】
【特許文献１】特開２００５−１８５７３９号公報
【発明の開示】
【発明が解決しようとする課題】
【０００５】
この発明は前記の点に鑑みなされたものであって、内部のクッション体を取り出して単独でソファのクッション等として使用でき、また、好みの位置の硬さを変えることが可能な抱き枕の提供を目的とする。
【課題を解決するための手段】
【０００６】
請求項１の発明は、複数のクッション体と、クッション体の出し入れ口を備え前記複数のクッション体を並べて収納可能とされた袋状のカバー体とからなることを特徴とする抱き枕に係る。
【０００７】
請求項２の発明は、請求項１において、少なくとも一つのクッション体の表面硬度が他のクッション体の表面硬度とは異なることを特徴とする。
【０００８】
請求項３の発明は、請求項１または２において、前記複数のクッション体が発泡体を表皮材で覆ったものからなり、前記複数のクッション体のうち少なくとも一つのクッション体における発泡体が、相対的に硬度の高い発泡体からなる中心層とその両側に積層された相対的に硬度の低い発泡体からなる表層とで構成されていることを特徴とする。
【０００９】
請求項４の発明は、請求項１から３の何れか一項において、前記カバー体の内面側にクッション層を有し、前記カバー体内に収納された複数のクッション体を前記クッション層で挟持することを特徴とする。
【発明の効果】
【００１０】
請求項１の発明によれば、カバー体のクッション体の出し入れ口からクッション体を取り出して単独でソファのクッション等として使用することができる。
【００１１】
請求項２の発明によれば、複数のクッション体は少なくとも一つのクッション体の表面硬度が他のクッション体の表面硬度とは異なるため、カバー体内における複数のクッション体の位置を異ならせるだけで、抱き枕における好みの位置の硬さを変えることができる。
【００１２】
請求項３の発明によれば、相対的に硬度の高い発泡体からなる中心層とその両側に積層された相対的に硬度の低い発泡体からなる表層とで構成されたクッション体については、表面側の感触が良好となり、しかも中心側については表面側よりも変形を抑えることができるため、抱き枕において大きな変形が好まれない部位に、前記発泡体が中心層と表層とからなるクッション体を配置すれば、良好な感触を維持しながら使用者の要望に応えることができる。
【００１３】
請求項４の発明によれば、カバー体の内面側にクッション層を有するため、抱き枕がクッション体間の境界位置で折れにくくなり、抱き枕の形状保持性が高くなる。
【発明を実施するための最良の形態】
【００１４】
以下この発明の実施形態を詳細に説明する。図１は本発明の一実施形態に係る抱き枕の斜視図、図２は図１の２−２断面図、図３は図１の３−３断面図、図４は図１の４−４断面図、図５は図１の５−５断面図、図６は同実施形態におけるクッション体の収納または取り出し時を示す抱き枕の斜視図、図７は同実施形態におけるカバー体の断面図、図８は第１クッション体の断面図、図９は第２クッション体の断面図、図１０は第３クッション体の断面図、図１１は第１クッション体の発泡体の賦形方法を示す断面図、図１２は第２クッション体および第３クッション体の発泡体の賦形方法を示す断面図である。
【００１５】
図１〜図６に示す抱き枕１０は、両手で抱くと共に股に挟んで横たわることが可能なもので、外形が略そら豆の鞘形状からなり、長手方向の途中に幅（長手方向と直交する方向）及び厚みが小さくなった、くびれ部１１，１２を２箇所有する。前記くびれ部１１，１２は抱き枕１０の使用時に一方のくびれ部１１を両手で抱き、他方のくびれ部１２を股に挟んで両足を絡めることにより、両手及び両足の位置を決めることができると共に抱き枕１０を両手両足間にずれなく保持し易くなる。
【００１６】
前記抱き枕１０は、カバー体２１と複数のクッション体４１，５１，６１とよりなり、前記複数のクッション体４１，５１，６１を、カバー体２１から取り出して単独で使用することができ、また、前記カバー体２１内における複数のクッション体４１，５１，６１の配列を代えて使用することができるものである。
【００１７】
前記カバー体２１は、略そら豆の鞘形状をした袋状からなり、一側の側部にクッション体を出したり収納したりするためのクッション体の出し入れ口２２を備え、内部に前記複数のクッション体４１，５１，６１を一列に並べて配置可能な大きさとされている。前記クッション体の出し入れ口２２は、図示のようなスライドファスナー（ジッパーとも称される）あるいは、ボタン、面ファスナー等からなる係止手段２３によって開閉可能とされている。
【００１８】
前記カバー体２１は、図７から容易に理解されるように、外側カバー体２４と内側カバー体２７とよりなる。前記外側カバー体２４は、カバー体２１の外面を構成するものであって、略そら豆の鞘形状の袋体からなり、前記クッション体の出し入れ口２２および係止手段２３が設けられている。前記外側カバー体２４の材質は、柔軟性のあるシート材、あるいは種々の布等で構成される。
【００１９】
前記内側カバー体２７は、前記外側カバー体２４の上面２５の内側と下面２６の内側に配置されるクッション層２８，２９を布等からなる表皮材３０で包んで、内側カバー体外面材３１の内面に縫合等で取り付けることにより、前記クッション体の出し入れ口２２とは反対側でクッション層２８，２９が連結されると共に、前記クッション体の出し入れ口２２側で口を開けたものからなり、前記クッション層２８，２９間に前記複数のクッション体４１，５１，６１を収納挟持可能とされている。前記内側カバー体外面材３１は、前記外側カバー体２４の内面と略等しい形状からなり、柔軟性のあるシート材、あるいは種々の布等で構成されている。
【００２０】
前記クッション層２８，２９は、ポリウレタン発泡体等の弾性体からなる。前記クッション層２８，２９の大きさは、前記外側カバー体２４の長手方向両端まで配置可能な大きさとされ、また厚みは前記クッション層２８，２９間に複数のクッション体４１，５１，６１を収納して前記クッション体の出し入れ口２２を閉じた際に、前記複数のクッション体４１，５１，６１によってクッション層２８，２９が押圧される寸法とされる。前記クッション層２８，２９は、前記複数のクッション体４１，５１，６１で押圧されて変形することにより、前記クッション体４１，５１，６１をカバー体２１内で位置ずれし難くすると共に、前記抱き枕１０を前記クッション体４１，５１，６１の境界位置で折れ難くする。
【００２１】
前記内側カバー体２７は、前記外側カバー体２４の内面にボタン等の固定手段で固定されていてもよく、あるいは固定されていなくてもよい。また、前記クッション層２８，２９は、図示の例では、表皮材３０で全周が覆われているが、表皮材３０で覆われることなく前記外側カバー体２４の内面に直接配置されたり、前記複数のクッション体４１，５１，６１と接触する面のみが表皮材で覆われたりしてもよい。
【００２２】
前記複数のクッション体の数は適宜の数とされるが、図示の例では第１クッション体４１，第２クッション体５１，第３クッション体６１の３個からなる。前記複数のクッション体は少なくとも一つのクッション体の表面硬度が他のクッション体の表面硬度とは異なるようにされる。図示の例では、第１クッション体４１、第２クッション体５１および第３クッション体６１の何れも他のクッション体と表面硬度が異なっている。また、前記第１クッション体４１、第２クッション体５１、第３クッション体６１は、適宜の大きさとされるが、図示の例では大きさおよび形状が略等しくされ、クッション体同士の位置を交代させて前記カバー体２１内に収納するのが容易とされている。さらに前記第１クッション体４１、第２クッション体５１および第３クッション体６１の形状は、図示の例では略そら豆の形状をしている。
【００２３】
前記第１クッション体４１、第２クッション体５１および第３クッション体６１は、図８〜図１０に示すように、発泡体４２，５２，６２を布等からなる表皮材４６，５６，６６で覆ったものからなる。前記発泡体４２，５２，６２は、ポリウレタン発泡体等、弾性を有する適宜の発泡体で構成され、この発泡体の硬度を異ならせることによって、前記第１クッション体４１，第２クッション体５１および第３クッション体６１の表面硬度を異ならせることができる。また、前記発泡体４２，５２，６２は一層のものに限られず、複数の発泡体を積層した複層のもので構成してもよい。図示の例では、第１クッション体４１の発泡体４２については、相対的に硬度の高い発泡体からなる中心層４３と、その両側に積層された相対的に硬度の高い発泡体からなる表層４４，４５とで構成されている。すなわち、中心層４３の発泡体は表層４４，４５の発泡体より硬くなっている。この構成とすることにより、前記第１クッション体４１は表面側の感触が良好となり、しかも中心側については表面側よりも変形が抑えられるため、抱き枕１０において大きな変形が好まれない部位に、前記第１クッション体４１を配置すれば、感触の低下を生じることなく使用者の要望に応えることができる。なお、前記中心層４３の両側の表層４４，４５については、硬度を同一としてもよく、あるいは異ならせてもよい。
【００２４】
前記第１クッション体４１の発泡体４２は、断面形状が略楕円形に賦形されているが、この発泡体の賦形は、図１１に示す賦形方法で行われるのが好ましい。すなわち、図１１の（１１−Ａ）に示すように略平らな上下面４２１，４２２に対して側面４２３が略垂直とされた所定形状の発泡体４２０、図示の例では平面視形状が略そら豆形状とされた三層の発泡体４２０を用い、前記側面４２３にクロロプレンゴム等の接着剤７０を塗布し、次に図１１の（１１−Ｂ）および（１１−Ｃ）に示すように側面４２３を上下中間位置で折り曲げることにより、側面４２３の上半分と下半分を密着させて前記接着剤７０で接着する方法が好ましい。符号４３０は前記中心層４３となる発泡体、符号４４０，４５０は前記表層４４，４５となる発泡体である。この賦形方法によれば、前記中心層４３の全周を表層４４，４５で覆うことができ、第１クッション体４１の上下面と側面との間で感触の違いが少なくなり、第１クッション体４１の使用感が良好となる。
【００２５】
また、前記第２および第３クッション体５１，６１の発泡体５２，６２についても、断面形状が略楕円形に賦形されており、図１１と同様の方法で賦形することができる。すなわち、図１２の（１２−Ａ）に示すように略平らな上下面５２１，５２２に対して側面５２３が略垂直とされた所定形状の発泡体５２０、図示の例では平面視形状が略そら豆形状とされた発泡体５２０を用い、前記側面５２３にクロロプレンゴム等の接着剤７０を塗布し、次に図１２の（１２−Ｂ）および（１２−Ｃ）に示すように側面５２３を上下中間位置で折り曲げることにより、側面５２３の上半分と下半分を密着させて前記接着剤７０で接着することにより賦形する。なお、図１２の符号５２０は第２クッション体５１の発泡体５２および第３クッション体６１の発泡体６２となるものである。
【００２６】
前記抱き枕１０は、前記カバー体２１のクッション体の出し入れ口２２を開け、前記クッション体の出し入れ口２２から前記第１、第２、第３クッション体４１，５１，６１を前記内側カバー体２７のクッション層２８，２９間に収納し、前記クッション体の出し入れ口２２を閉じて使用される。その際、前記第１、第２、第３クッション体４１，５１，６１は、前記カバー体２１内に好みの配列で収納され、前記クッション層２８，２９により挟持されて保持され、カバー体２１内での位置ずれが防止される。
【００２７】
一方、前記第１、第２、第３クッション体４１，５１，６１が単独で使用される場合には、前記カバー体２１のクッション体の出し入れ口２２を開けて、前記カバー体２１から第１、第２、第３クッション体４１，５１，６１が取り出される。
【実施例】
【００２８】
以下に、具体的な実施例を示す。前記カバー体２１は、外側カバー体２４がシンカーパイル生地、内側カバー体２７のクッション層２８，２９が密度２０ｋｇ／ｍ３（ＪＩＳ  Ｋ  ７２２２）、硬度１０．６Ｎ（ＪＩＳ  Ｋ  ６４００−２  Ｄ法）、圧縮残留歪６％以下（ＪＩＳ  Ｋ  ６４００−４  Ａ法）、反発弾性率３５％以上（ＪＩＳ  Ｋ  ６４００−３）、引張り強度６９ｋＰａ（ＪＩＳ  Ｋ  ６４００−５）、伸び２００％（ＪＩＳ  Ｋ  ６４００−５）、厚み５０ｍｍのポリウレタン発泡体、表皮材３０がナイロントリコット、内側カバー体外面材３１が平織りの綿生地からなる。
【００２９】
第１クッション体４１の発泡体４２は、中心層４３を密度３５ｋｇ／ｍ３（ＪＩＳ  Ｋ  ７２２２）、硬度１４７Ｎ（ＪＩＳ  Ｋ  ６４００−２  Ｄ法）、圧縮残留歪４．５％以下（ＪＩＳ  Ｋ  ６４００−４  Ａ法）、反発弾性率４０％以上（ＪＩＳ  Ｋ  ６４００−３）、引張り強度６９ｋＰａ（ＪＩＳ  Ｋ  ６４００−５）、伸び１００％（ＪＩＳ  Ｋ  ６４００−５）、厚み６０ｍｍのポリウレタン発泡体とし、表層４４，４５を密度２１ｋｇ／ｍ３（ＪＩＳ  Ｋ  ７２２２）、硬度５８Ｎ（ＪＩＳ  Ｋ  ６４００−２  Ｄ法）、圧縮残留歪５．０％以下（ＪＩＳ  Ｋ  ６４００−４  Ａ法）、反発弾性率４５％以上（ＪＩＳ  Ｋ  ６４００−３）、引張り強度４９ｋＰａ（ＪＩＳ  Ｋ  ６４００−５）、伸び１００％（ＪＩＳ  Ｋ  ６４００−５）、厚み２０ｍｍのポリウレタン発泡体とし、図１１に示す賦形方法を用い、接着剤７０をクロロプレンゴムとして形成した。発泡体４２を覆う表皮材４６の材質はシンカーパイルである。
【００３０】
第２クッション体５１の発泡体５２は、密度３５ｋｇ／ｍ３（ＪＩＳ  Ｋ  ７２２２）、硬度１４７Ｎ（ＪＩＳ  Ｋ  ６４００−２  Ｄ法）、圧縮残留歪４．５％以下（ＪＩＳ  Ｋ  ６４００−４  Ａ法）、反発弾性率４０％以上（ＪＩＳ  Ｋ  ６４００−３）、引張り強度６９ｋＰａ（ＪＩＳ  Ｋ  ６４００−５）、伸び１００％（ＪＩＳ  Ｋ  ６４００−５）、厚み１００ｍｍのポリウレタン発泡体とし、図１２の賦形方法を用い、接着剤７０をクロロプレンゴムとして形成した。発泡体５２を覆う表皮材５６はシンカーパイルである。
【００３１】
第３クッション体６１の発泡体６２は、密度２１ｋｇ／ｍ３（ＪＩＳ  Ｋ  ７２２２）、硬度５８Ｎ（ＪＩＳ  Ｋ  ６４００−２  Ｄ法）、圧縮残留歪５．０％以下（ＪＩＳ  Ｋ  ６４００−４  Ａ法）、反発弾性率４５％以上（ＪＩＳ  Ｋ  ６４００−３）、引張り強度４９ｋＰａ（ＪＩＳ  Ｋ  ６４００−５）、伸び１００％（ＪＩＳ  Ｋ  ６４００−５）、厚み１００ｍｍのポリウレタン発泡体とし、図１２の賦形方法を用い、接着剤７０をクロロプレンゴムとして形成した。発泡体６２を覆う表皮材６６はシンカーパイルである。
【００３２】
抱き枕の寸法および形状は、長さ１５００ｍｍ、幅３００ｍｍ、厚み２００ｍｍからなるそら豆の鞘形状である。また、第１クッション体４１、第２クッション体５１、第３クッション体６１は何れも同一のそら豆形状であり、また寸法は、長さ３００ｍｍ、幅２００ｍｍ、厚み１００ｍｍである。
【図面の簡単な説明】
【００３３】
【図１】本発明の一実施形態に係る抱き枕の斜視図である。
【図２】図１の２−２断面図である。
【図３】図１の３−３断面図である。
【図４】図１の４−４断面図である。
【図５】図１の５−５断面図である。
【図６】同実施形態におけるクッション体の収納または取り出し時を示す抱き枕の斜視図である。
【図７】同実施形態におけるカバー体の断面図である。
【図８】第１クッション体の断面図である。
【図９】第２クッション体の断面図である。
【図１０】第３クッション体の断面図である。
【図１１】第１クッション体の発泡体の賦形方法を示す断面図である。
【図１２】第２クッション体および第３クッション体の発泡体の賦形方法を示す断面図である。
【符号の説明】
【００３４】
１０  抱き枕
２１  カバー体
２２  クッション体の出し入れ口
２８，２９  クッション層
４１  第１クッション体
４２  第１クッション体の発泡体
４３  中心層
４４，４５  表層
５１  第２クッション体
５２  第２クッション体の発泡体
６１  第３クッション体
６２  第３クッション体の発泡体
【図１】
2008073281.tif 000003
【図２】
2008073281.tif 000004
【図３】
2008073281.tif 000005
【図４】
2008073281.tif 000006
【図５】
2008073281.tif 000007
【図６】
2008073281.tif 000008
【図７】
2008073281.tif 000009
【図８】
2008073281.tif 000010
【図９】
2008073281.tif 000011
【図１０】
2008073281.tif 000012
【図１１】
2008073281.tif 000013
【図１２】
2008073281.tif 000014